(57)【要約】 【課題】 従来の監視装置は、前記監視装置に装着する電話端末の操作キ−を監視装置のアクチュエ−タを用いて機械的に操作するため、操作キ−の配置が異なる任意の電話端末を操作することができなかった。【解決手段】  本発明の監視装置は、センサ−の監視信号に基づいて監視装置から出力される出力信号を、前記監視装置に装着する電話端末の操作キ−の入力操作に対応する操作信号に変換する変換回路と前記操作信号を前記電話端末に出力する手段を備えることにより、前記電話端末の操作キ−の配置に関係なく、前記監視装置の出力信号に基づいて前記電話端末を操作できる。【選択図】        図２
2007214626.tif 000002
【特許請求の範囲】
【請求項１】
センサの監視信号に基づいて監視装置の制御マイコンが進入者を確認した後に予め設定されたプログラムに基づいて前記監視装置から出力される出力信号を電話端末に入力する手段と前記出力信号を前記電話端末の操作キ−の入力操作に対応する操作信号に変換する変換回路を備えたことを特徴とする電話端末。
【請求項２】
センサの監視信号に基づいて監視装置の制御マイコンが進入者を確認した後に予め設定されたプログラムに基づいて前記監視装置から出力される出力信号を、前記監視装置に装着する電話端末の操作キ−の入力操作に対応する操作信号に変換する変換回路と前記操作信号を前記電話端末に出力する手段を備えたことを特徴とする監視装置。
【請求項３】
監視装置の出力信号を電話端末に入力する手段が接続端子またはアンテナまたはマイクまたは光センサ−の何れかであることを特徴とする請求項１記載の電話端末。
【請求項４】
電話端末の操作キ−の入力操作に対応する操作信号を出力する手段が接続端子またはアンテナまたはスピ−カまたは光センサ−の何れかであることを特徴とする請求項２記載の監視装置。
【請求項５】
任意の監視装置からの出力信号に対して、電話端末の操作キ−の入力操作に対応する操作信号に変換するよう、前記電話端末の変換回路のプログラム内容を書き換えできるようにしたことを特徴とする請求項１または請求項３記載の電話端末。
【請求項６】
監視装置から発せられる出力信号に対して、任意の電話端末の操作キ−の入力操作に対応する操作信号に変換するよう、前記監視装置の変換回路のプログラム内容を書き換えできるようにしたことを特徴とする請求項２または請求項４記載の監視装置。
【請求項７】
電話端末の制御マイコンのプログラム内容を書き換えできるようにしたことを特徴とする請求項１または請求項３記載の電話端末。
【請求項８】
監視装置の制御マイコンのプログラム内容を書き換えできるようにしたことを特徴とする請求項２または請求項４記載の監視装置。
【請求項９】
監視信号に基づいて監視装置の回転台を回転させることを特徴とする請求項２、請求項４、請求項６、請求項８のいずれか１つに記載の監視装置。
【発明の詳細な説明】
【技術分野】
【０００１】
本発明は、例えば遠隔地を監視できるようにした監視システム等に用いられる電話端末ならびに監視装置に関するものである。
【背景技術】
【０００２】
遠隔地用監視システムは、監視したい箇所に監視カメラや監視センサ−等を設置し、監視センサ−に不審者等の進入信号があった場合において、不審者等の進入状況を電話回線により遠隔地の受信端末に通知し、前記監視カメラや監視センサ−等の情報を受信端末で確認できるようにしている。そのため、従来の監視システムでは、監視センサ−等の備えられた監視装置に携帯電話端末等を自在に装着できるようにし、監視センサ−に不審者等の進入信号があった場合、監視装置に装備されたアクチュエ−タやモ−タ−を電気的に駆動制御することによって携帯電話端末の操作キ−を機械的に操作し、電話回線を介して監視センサ−の情報や例えばカメラ付き携帯電話端末の機能を生かした画像情報等を遠隔地の受信端末に送信していた（例えば、特許文献１参照）。
【０００３】
【特許文献１】特開２００５−３９７７３号広報
【発明の開示】
【発明が解決しようとする課題】
【０００４】
従来の監視装置では、携帯電話端末の操作キ−を監視装置に備えられたアクチュエ−タやモ−タ−を用いて機械的に操作するため、携帯電話端末の機種によって操作キ−の配置や形状が異なるため、必ずしもキ−操作に互換性を確保できないと言う課題があった。
【０００５】
本発明は上記の課題を解決し、例え携帯電話端末に備えられる操作キ−の配置や形状等が異なる場合であっても、電話回線を介して監視センサ−の情報や携帯電話端末から得られる情報を受信端末に提供できるようにすることを目的とする。
【課題を解決するための手段】
【０００６】
本発明の電話端末は、センサの監視信号に基づいて監視装置の制御マイコンが進入者を確認した後に予め設定されたプログラムに基づいて前記監視装置から出力される出力信号を入力する手段と前記出力信号を電話端末の操作キ−の入力操作に対応する操作信号に変換する変換回路を備えた点を特徴とするものである。
【発明の効果】
【０００７】
上記のように構成された電話端末によれば、電話端末に備えられる操作キ−の配置や形状が異なっても、前記電話端末に設けられた変換回路の働きにより監視装置から進入者を確認した後に出力される出力信号に基づいて、前記電話端末を制御するので、前記電話端末の通信機能により、監視装置の情報を受信端末に提供できるという効果が得られる。
【発明を実施するための最良の形態】
【０００８】
実施の形態１．
以下、図面に基づいて本発明の実施の形態１について詳細に説明する。図１は本発明の電話端末である例えばカメラ付携帯電話の概略構成図、図２は本発明の監視装置の概略構成図、図３は本発明の電話端末と監視装置による監視状況を説明するための模式図である。なお、図１ないし図３中、同一部分ないし相当部分には同一符号を付与している。
【０００９】
図１に示すように本発明の電話端末１００には電話端末１００を操作するための操作キ−１および監視装置からの出力信号を入力する手段である信号入力端子２が設けられており、必要に応じてアンテナ３、カメラレンズ４、表示画面５が設けられている。また、電話端末１００の信号入力端子２には監視装置から発せられる出力信号を電話端末１００に備えられる操作キ−１の入力操作に対応する操作信号に変換する変換回路１０（図示しない）が設けられ、電話端末１００内の制御マイコン２０（図示しない）に操作信号を与える。これにより、電話端末１００に備えられる操作キ−１を操作することなく、前記変換回路１０の働きにより監視装置からの出力信号に基づいて、前記電話端末１００のもつ機能を制御でき、監視装置や電話端末から得られる情報を電話回線を経由して遠隔地の受信端末に提供できるという効果が得られる。
【００１０】
図２に示すように本発明の監視装置２００には、電話端末１００を収めるための収納部６ｈを備えたホルダ６が設けられている。前記ホルダ６に備えられた収納部６ｈの底面には、電話端末１００に設けられた信号入力端子２と電気的に接続可能な操作信号を出力する手段である信号出力端子６ａが備え付けられている。信号出力端子６ａは監視装置２００の制御マイコン３０（図示しない）につながっており、監視装置２００が監視する情報（例えば、監視装置２００に設けられた進入者等を検知するためのセンサ−８の監視信号やそれをもとにして判断した侵入者の確認情報や受信端末の電話番号等）や電話端末１００に指示する情報（例えば写真撮影や撮影結果の記録／送信やマイク録音／送信等）を出力信号として出力し、電話端末１００に入力できるようになっている。さらにホルダ６に収められた電話端末１００は制御マイコン３０で制御される回転台７に搭載され、監視装置２００に設けられた進入者等を検知するためのセンサ−８からの監視信号に基づいて回転台７とともに任意の方向に向けられるようになっている。なお、回転台７には、あおり方向に傾ける機構を備え、センサ−８からの監視信号に基づいて制御マイコン３０の制御で傾けてもよい。この場合、不審者等を確認するための範囲をより広く確保できるという効果がある。また、監視装置２００にはライト７やスピ−カ等（図示しない）を設け、センサ−８からの監視信号に基づいて制御マイコン３０に予め設定されたプログラムに則り、これらを動作させて進入者等の確認やこれに対して警鐘を与えたり、電話端末１００のカメラを用いて不審者等を撮影したりし、それらの情報を電話端末１００および電話回線を経由して遠隔地の受信端末に提供しても良い。
【００１１】
図３を用いてより具体的に本発明の電話端末１００と監視装置２００による監視システムについて説明する。図３は天井側から監視領域内に侵入者Ｍが進入してきた様子を示している。本発明の監視装置２００に備えられるセンサ−８は、例えば赤外線等光等を感知する光センサ−や温度変化を感知する温度センサ−、超音波等音を感知する超音波センサ−を始め、進入者等を検知するためのものであればいかなるものであっても良い。図３では監視装置２００の四方に４個のセンサ−８ａ〜８ｄが配置されている。但し、このセンサ−の数は適宜決めればよいものであって、４個に限られるものではない。各センサ−８が監視する範囲は、図中の各センサ−８の両端から伸びる２本の破線が挟む範囲である。図３においてセンサ−８ａは監視範囲内の侵入者Ｍを強い監視信号強度で感知し、センサ−８ｂは監視範囲の境界部の侵入者Ｍをやや弱い監視信号強度で感知する。一方、センサ−８ｃおよび８ｄは監視信号を感知しない。このような各センサ−の監視信号は監視装置２００に設けられた制御マイコン３０に送られ進入者１０の進入を確認する。さらに監視装置２００の制御マイコン３０は、各センサ−からの監視信号強度の関係から、進入者１０がセンサ−８ａおよび８ｂの監視範囲内に位置し、監視信号強度からややセンサ−８ａの監視範囲寄りの位置に進入していることを確認する。これに伴い、制御マイコン３０は予め設定されていたプログラムに従って、例えば、回転台７を制御・回転させることによって電話端末１００のカメラレンズ４を進入者１０の方向に合わせることが可能であり、また、信号出力端子６ａを経由して電話端末１００にカメラ撮影をするように監視装置２００から出力信号を送ることが可能となる。すなわちこの出力信号は電話端末１００の信号入力端子２および変換回路１０を経由して電話端末１００の制御マイコン２０に入力されるため、制御マイコン２０は電話端末１００のカメラ撮影に必要な操作キ−１の操作を行ったと同様にカメラ撮影を実行する。これにより侵入者Ｍは撮影され画像情報として記録される。また、前記回転台７の回転開始と同時に、ライト９を連動して動作させることで、暗所での撮影を補助し、防犯用センサ−ライトとしての効果を得ることができる。以上説明したように電話端末１００は、監視装置２００からの出力信号により自在に制御されるため、電話端末１００が本来備えているカメラ機能やマイク機能等により、電話回線を介して監視装置のセンサ−から得られる情報や電話端末１００のカメラで撮影した画像情報を容易に電話回線を経由して受信端末に提供できることは明らかである。なお、この場合の受信端末としては、携帯電話であったり、カメラつき電話であったり、固定電話であったり、パソコン等であっても良いことは明らかである。また、当然のことながら受信端末を指定する際に必要な電話番号やメ−ルアドレス等は、予め電話端末１００もしくは監視装置２００に登録しておき、センサ−８からの監視信号に基づいて、監視装置２００の制御マイコン３０が進入者１０の進入を確認した時点などにおいて適宜、受信端末に進入者１０の進入のあった事を連絡するための出力信号を監視装置２００から発振するように予めプログラムを設定しておけばよい。
【００１２】
上記実施の形態１において用いた電話端末は、カメラ付携帯電話１００であるが、必ずしもカメラ付携帯電話である必要性はなく、単なる携帯電話であっても良いし、可搬型の固定電話の子機であっても良く、また、固定型の電話であってもよく、要するに電話回線に接続可能な機能を持ったものであれば良いことはいうまでもない。
【００１３】
上記実施の形態１において電話端末１００に用いた信号入力端子２および監視装置２００に用いた信号出力端子６ａは、互いの電気的な接続を確保するための接続端子であるが、それぞれの接続を無線で行っても良い。より詳しく説明すると、信号入力端子２をカメラ付携帯電話１００に備わったアンテナとし、信号出力端子６ａを送信アンテナ（送信回路に接続した）とし、電波で出力信号の送受信を行うというものである。この場合無線なので、電気的な接続を確保する必要がなく、端子の接続不具合といった問題が発生しなくなるという効果が得られる。また、上記と同様の観点から電話端末１００に用いた出力信号を入力する手段である信号入力端子２および監視装置２００に用いた操作信号を出力する手段である信号出力端子６ａを、それぞれマイクおよびスピ−カとすることで音声的に信号の送受信を行うことも可能であるし、赤外線等の光センサを用いた光通信で行っても良いことは明らかである。
【００１４】
実施の形態２．
以下、本発明の実施の形態２について説明する。本発明の実施の形態２の監視装置２０１は本発明の実施の形態１の監視装置２００に、制御マイコン３０からの出力信号を「電話端末の操作キ−１の入力操作に対応する操作信号に変換」する変換回路４０（図示しない）を備えたものであり、その他は実施の形態１と全く同じ構成である。なお、前記変換回路４０の代わりに、前記変換回路４０のもつ働きである「電話端末の操作キ−１の入力操作に対応する操作信号に変換」した出力信号を制御マイコン３０から出力させても良い。また、本発明の実施の形態２の電話端末１０１は、普通の電話端末である。すなわち、本発明の実施の形態１の電話端末１００に備えられた「電話端末の操作キ−１の入力操作に対応する操作信号に変換」する変換回路２０を備えていないものであり、その他は実施の形態１と全く同じ構成である。
【００１５】
これにより、本発明の実施の形態１と同様に電話端末１００に備えられる操作キ−１を操作することなく、前記変換回路４０の働きにより監視装置からの出力信号に基づいて、前記電話端末１００のもつ機能を制御でき、監視装置の情報を電話回線を経由して遠隔地の受信端末に提供できるという効果が得られる。
【００１６】
実施の形態３．
本発明の実施の形態２の監視装置２０１の変換回路４０は、必ずしも任意の電話端末１０１の操作キ−１の入力操作に対応する操作信号に変換できるようになっているとは限らないため、本発明の実施の形態３の監視装置２０１の変換回路４１は、任意の電話端末１０１の操作キ−１の入力操作に対応する操作信号に変換できるようにそのプログラム内容の書き換え（変更）が可能になっている。以下、図面に基づいて実施の形態３の監視装置２０１に用いられる変換回路４１のプログラムの書き換え方法について説明する。図４はこの発明の実施の形態３の監視システムを用いたシステム全体の概略構成図である。なお、図４の各部位において図１ないし図３と同一部分ないし相当部分には同一符号を付与している。
【００１７】
本発明の実施の形態３の監視システムは、図４に示すように電話端末１０１が監視装置２０１に装着されることで、電話端末１０１および監視装置２０１のもつ監視情報を電話端末１０１に接続された電話回線４００に送信Ｃ１し、電話回線４００を経由して受信端末３００に配信Ｃ２されるシステムであり、必要に応じて変換回路４１のプログラム内容を変更するためにＵＳＢケ−ブルＣ３等を介してパソコン５００に接続できるようになっている。
【００１８】
図４の本発明の監視システムの概略構成図を用いて、変換回路４１のプログラムの書き換えについて説明する。予め電話端末１０１の操作キ−１の入力操作に対応する操作信号が判明していれば、パソコン５００を用いて、変換回路４１のプログラム内容を書き換えることでその動作内容を変更できるようにしておけばよい。一方、電話端末１０１の操作キ−１の入力操作に対応する操作信号が判明していなければ、電話端末１０１の各操作キ−１を操作したときの各信号を、例えば電話端末１００に用いた信号入力端子２および監視装置２００に用いた信号出力端子６ａ等を介して、変換回路４１の出力信号と同じとなるようにプログラム内容の書き換えができるようにしておけばよい。これにより、本発明の実施の形態２と同様に電話端末１００に備えられる操作キ−１を操作することなく、前記変換回路４１の働きにより監視装置からの出力信号に基づいて、前記電話端末１００のもつ機能を制御でき、監視装置の情報を電話回線を経由して遠隔地の受信端末に提供できるという効果が得られる。
【００１９】
上記実施の形態３では、監視装置２０１に用いられる変換回路４１の動作内容をパソコン５００を用いて変換回路４１のプログラム内容を書き換えたり、電話端末１０１の各操作キ−１の入力操作によって変換回路４１のプログラム内容を書き換え変更したりするようにしたが、同様の方法で、電話端末１００の制御マイコン２０や変換回路１０ならびに監視装置２０１の制御マイコン３０のプログラム内容を、パソコン５００を用いて書き換えたり電話端末１０１の各操作キ−１の入力操作によって書き換えたりできることは明らかである。これにより、本発明の実施の形態２や実施の形態３と同様に電話端末１００に備えられる操作キ−１を操作することなく、前記変換回路の働きにより監視装置からの出力信号に基づいて、前記電話端末１００のもつ機能を制御でき、監視装置の情報を電話回線を経由して遠隔地の受信端末に提供できるという効果が得られる。
【図面の簡単な説明】
【００２０】
【図１】実施の形態１のカメラ付携帯電話の概略構成図である。
【図２】実施の形態１の監視装置の概略構成図である。
【図３】実施の形態１の監視システムの概略図である。
【図４】実施の形態３の監視システムを用いたシステム全体の概略構成図である。
【符号の説明】
【００２１】
１  操作キ−                      
２  信号入力端子（入力をする手段）
３  アンテナ                      
６  信号出力端子（出力をする手段）
８  侵入者等を検出するセンサ−    
１００  カメラ付携帯電話（電話端末）        
２００  監視装置
【図１】
2007214626.tif 000003
【図２】
2007214626.tif 000004
【図３】
2007214626.tif 000005
【図４】
2007214626.tif 000006